(57)【要約】【課題】  製造コストが安価で使い勝手の良好な掃除機用アタッチメントを提供する。【解決手段】  家庭用掃除機の延長管の先端部側に着脱可能とされてノズルとして機能するものであって、内部に吸引した混合気体の空気，水分を分離する気液分離構造３を備えるとともに分離された水分を貯溜する水溜室となる容器Ｂを外付けすることのできる容器取付口２が設けられている。気液分離構造３は、吸引した混合気体を小径の分離管３１に導入し掃除機本体の吸引力を減衰させて混合気体と分離管との接触で空気，水分を分離するものである。【選択図】図１
0003193670.tif 000002
【実用新案登録請求の範囲】
【請求項１】
家庭用掃除機の延長管の先端部側に着脱可能とされてノズルとして機能するものであって、内部に吸引した混合気体の空気，水分を分離する気液分離構造を備えるとともに分離された水分を貯溜する水溜室となる容器を外付けすることのできる容器取付口が設けられ、気液分離構造は吸引した混合気体を小径の分離管に導入し掃除機本体の吸引力を減衰させて混合気体と分離管との接触で空気，水分を分離するものであることを特徴とする掃除機用アタッチメント。
【請求項２】
請求項１の掃除機用アタッチメントにおいて、気液分離構造の分離管は外付けされた容器の底部付近まで配管される長さを有していることを特徴とする掃除機用アタッチメント。
【請求項３】
請求項２の掃除機用アタッチメントにおいて、容器の内部に挿入され容器の内部を気液分離構造の分離管が配管された側と配管されない側とに不完全に区画する区画壁を備えていることを特徴とする掃除機用アタッチメント。
【考案の詳細な説明】
【技術分野】
【０００１】  本考案は、家庭用掃除機の延長管（先端部側にノズルが接続され後端部側にホースが接続された管状部材）の先端部側に着脱可能とされてノズル（吸込口部品）として機能する掃除機用アタッチメントに係る技術分野に属する。
【背景技術】
【０００２】  最近、一般家庭で床面に絨毯等を敷いた生活様式が普及してきていることから、床面に水分（飲物，ペット尿等）を零したり漏らした場合に畳やフローリングのように簡単に拭取れなくなっている。このため、水分を含めて吸引掃除することのできる家庭用掃除機の開発が要望されている。【０００３】  水分を含めて吸引掃除することのできる掃除機としては、本体内部に空気，水分を分離する気液分離構造を備えた業務用の湿式掃除機がある。然しながら、業務用の湿式掃除機は、大型で一般家庭では使い勝手が悪いという不具合がある。また、一般家庭では、水分を含めて吸引掃除することが希で通常のいわゆる乾式の吸引掃除が主となることから、水分を含めた吸引掃除を家庭用掃除機に着脱可能なアタッチメントで行えるようにすることが要望されている。【０００４】  従来、家庭用掃除機で水分を含めた吸引掃除を行えるようにする掃除機用アタッチメントとしては、例えば、特許文献１に記載のものが知られている。【０００５】  特許文献１には、家庭用掃除機の延長管の中途部に着脱可能とされて内部にファンを備えた気液分離構造と分離された水分を貯溜する水溜室とが設けられた掃除機用アタッチメントが記載されている。【０００６】  特許文献１に係る掃除機用アタッチメントは、ノズルから吸引された水分，空気の混合気体をファンの回転による気流の形成によって空気と水分とに分離し、分離された水分を水溜室に貯溜させることで、掃除機本体部への水分の吸込みを回避するものである。
【先行技術文献】
【特許文献】
【０００７】
【特許文献１】  特開２０１３−６６６２１号公報
【考案の概要】
【考案が解決しようとする課題】
【０００８】  特許文献１に係る掃除機用アタッチメントでは、気液分離構造にファンを備えるとともに水溜室が固定的に組込まれているため、装置構成が大型化，複雑化して製造コストが高くなるという問題点がある。また、延長管の中途部で交換するため、交換作業が面倒で使い勝手がよくないという問題点がある。【０００９】  本考案は、このような問題点を考慮してなされたもので、製造コストが安価で使い勝手の良好な掃除機用アタッチメントを提供することを課題とする。
【課題を解決するための手段】
【００１０】  前述の課題を解決するため、本考案に係る掃除機用アタッチメントは、実用新案登録請求の範囲の各請求項に記載の手段を採用する。【００１１】  即ち、請求項１では、家庭用掃除機の延長管の先端部側に着脱可能とされてノズルとして機能するものであって、内部に吸引した混合気体の空気，水分を分離する気液分離構造を備えるとともに分離された水分を貯溜する水溜室となる容器を外付けすることのできる容器取付口が設けられ、気液分離構造は吸引した混合気体を小径の分離管に導入し掃除機本体の吸引力を減衰させて混合気体と分離管との接触で空気，水分を分離するものであることを特徴とする。【００１２】  この手段では、混合気体の空気，水分を分離する気液分離構造が小径の分離管とされることで構造が簡素化され、分離された水分を貯溜する水溜室が交換可能な外付けの容器とされることで構造が小型化される。また、延長管の先端部側に着脱可能とされてノズルとして機能するものであることから、通常のノズルと同様の取扱いが可能となる。【００１３】  また、請求項２では、請求項１の掃除機用アタッチメントにおいて、気液分離構造の分離管は外付けされた容器の底部付近まで配管される長さを有していることを特徴とする。【００１４】  この手段では、気液分離構造の分離管は外付けされた容器の底部付近まで配管されることで、分離管に長い配管長が確保される。【００１５】  また、請求項３では、請求項２の掃除機用アタッチメントにおいて、容器の内部に挿入され容器の内部を気液分離構造の分離管が配管された側と配管されない側とに不完全に区画する区画壁を備えていることを特徴とする。【００１６】  この手段では、容器の内部に挿入され容器の内部を不完全に区画する区画壁が備えられることで、混合気体の空気，水分から水分が分離された混合気体（空気）の流れが整流される。
【考案の効果】
【００１７】  本考案に係る掃除機用アタッチメントは、混合気体の空気，水分を分離する気液分離構造が小径の分離管とされることで構造が簡素化され、分離された水分を貯溜する水溜室が交換可能な外付けの容器とされることで構造が小型化されるため、製造コストが安価となる効果がある。また、延長管の先端部側に着脱可能とされてノズルとして機能するものであることから、通常のノズルと同様の取扱いが可能となるため、使い勝手が良好である効果がある。【００１８】  さらに、請求項２として、気液分離構造の分離管が外付けされた容器の底部付近まで配管されることで、分離管に長い配管長が確保されるため、気液分離構造における混合気体の空気，水分の分離機能が高くなる効果がある。【００１９】  さらに、請求項３として、容器の内部に挿入され容器の内部を不完全に区画する区画壁が備えられることで、混合気体の空気，水分から水分を分離された分離された混合気体（空気）の流れが整流されるため、気液分離構造の分離管における混合気体の空気，水分の流通が円滑化され空気，水分の分離機能が高くなる効果がある。
【図面の簡単な説明】
【００２０】
【図１】  本考案に係る掃除機用アタッチメントを実施するための形態の正面断面図である。
【図２】  図１のＸ−Ｘ線拡大断面図である。
【図３】  図１の使用状態図である。
【図４】  図３の側面図である。
【図５】  図３の要部における動作原理を説明する簡略図である。
【考案を実施するための形態】
【００２１】  以下、本考案に係る掃除機用アタッチメントを実施するための形態を図面に基づいて説明する。
【００２２】  この形態では、吸引した混合気体ＡＷの空気Ａ，水分Ｗから分離された水分Ｗを貯溜する水溜室となる容器Ｂとして、３５０ｍｌ程度のペットボトルの使用を想定した比較的小型のものが示されている。
【００２３】  この形態は、図１に示すように、アタッチメント本体１，容器取付口２，気液分離構造３，区画壁４の各部からなる。
【００２４】  アタッチメント本体１は、直状の本体筒１１の中途部から約３０度の角度で短い軸長の分岐筒１２が分岐された筒体からなる。本体筒１１の先端部には、吸引掃除の端口となるノズル１１ａが設けられている。ノズル１１ａは、本体筒１１の先端部を一方向で絞込み（図１参照）他方向で拡開した（図４参照）スリット形に形成されている。本体筒１１の後端部には、家庭用掃除機の延長管Ｐに嵌合着脱可能な接続口１１ｂが設けられている。接続口１１ｂは、弾性を有して異なる径の延長管Ｐに嵌合できるようになっている。なお、この接続口１１ｂについては、段付き構造として、異なる径の延長管Ｐへの嵌合をより確実にすることができる。
【００２５】  容器取付口２は、アタッチメント本体１の分岐筒１２の端口の内壁に刻設された雌ネジからなる。この容器取付口２は、容器Ｂであるペットボトルの首部に設けられている雄ネジに螺合可能で、アタッチメント本体１に対して容器Ｂを外付け式に螺合着脱できるようになっている。
【００２６】  気液分離構造３は、分離管３１と分離管取付部３２とからなる、分離管３１は、掃除機本体の吸引力を減衰させる小径の管体からなるもので、アタッチメント本体１の本体筒１１，分岐筒１２の分岐部から外付けされた容器Ｂの底部付近まで配管される軸長を有している。分離管取付部３２は、アタッチメント本体１の本体筒１１，分岐筒１２の分岐部の内部に突出された取付用座板３２ａに分離管３１が嵌合取付けされる取付用筒３２ｂが設けられている。
【００２７】  区画壁４は、アタッチメント本体１の内部で本体筒１１，分岐筒１２を吸引した混合気体ＡＷの上流側，下流側に区画するもので、本体筒１１から伸び分岐筒１２を通過して外付けされた容器Ｂに挿入されている。この区画壁４は、容器Ｂの内部で気液分離構造３の分離管３１が配管された側と配管されない側とを不完全に区画する。
【００２８】  この形態によると、図３に示すように、容器取付口２に容器Ｂを外付けし、アタッチメント本体１の本体筒１１の接続口１１ｂに延長管Ｐを嵌合させて使用することになる。従って、通常のノズルと同様の取扱いとなるため、使い勝手が良好である。
【００２９】  この形態による吸引掃除では、アタッチメント本体１の本体筒１１を約６０度の角度ａで傾けて、アタッチメント本体１の本体筒１１のノズル１１ａを飲物，ペット尿等を零したり漏らした清掃対象の床面Ｆに当接させ、掃除機本体を駆動する。このとき、容器Ｂの軸線がほぼ垂直となる。
【００３０】  掃除機本体が駆動されると、アタッチメント本体１の本体筒１１のノズル１１ａに強い吸引力が作用する。従って、アタッチメント本体１の本体筒１１のノズル１１ａから本体筒１１の内部に空気Ａ，水分Ｗからなる混合気体ＡＷを吸入することができる。
【００３１】  アタッチメント本体１の本体筒１１の内部に吸引された混合気体ＡＷは、気液分離構造３の分離管３１に導入される。分離管で３１では、小径に形成されて掃除機本体の吸引力が減衰されることから、分離管３１の内壁と混合気体ＡＷとが確実に接触して空気Ｗ，水分Ｗが分離される。このとき、図５に示すように、分離管３１の中心部では混合気体ＡＷがある程度そのまま通過してしまうが、分離管３１の内壁近くでは混合気体ＡＷが減速されて水分Ｗが内壁に水滴を形成して流下することになる。そして、分離管３１に容器Ｂの内部に至るまでの長い配管長が確保されているため、混合気体ＡＷの空気Ａ，水分Ｗの分離が確実に行われる。
【００３２】  気液分離構造３の分離管３１から吐出されかなり水分Ｗが分離された混合気体ＡＷ（空気Ａ）は、図３に示すように、容器Ｂの内部を上昇して、アタッチメント本体１の分岐筒１２から本体筒１１を通って延長管Ｐに吸引される。容器Ｂの内部を上昇する混合気体ＡＷ（空気Ａ）は、容器Ｂの内壁との接触によって気液分離構造３の分離管３１と同様に水分Ｗの分離が行われる。従って、延長管Ｐに吸引される混合気体ＡＷに水分Ｗがほとんど含まれていないことになる。この結果、掃除機本体の駆動部を水濡れ損傷させることがない。なお、図３に示すように、気液分離構造３の分離管３１の先端部（下端部）と容器Ｂの底部との間に少しのクリアランスを確保しておくと、容器Ｂの底部に溜まっている水分Ｗを無用に吹上げしまうのを回避することができる。
【００３３】  なお、容器Ｂの内部では、区画壁４が備えられていることで、混合気体ＡＷの空気Ａ，水分Ｗから水分Ｗを分離された分離された混合気体ＡＷ（空気Ａ）の流れが整流（逆流が阻止される）されるため、気液分離構造３の分離管３１における混合気体ＡＷの空気Ａ，水分Ｗの流通が円滑化される。
【００３４】  この結果、気液分離構造３の構造が簡素化され、混合気体ＡＷから分離された水分Ｗを貯溜する水溜室が交換可能な外付けの容器Ｂとされることで構造が小型化されるため、製造コストが安価となる。
【００３５】  この形態の使用の後には、アタッチメント本体１の本体筒１１の接続口１１ｂから延長管Ｐを引抜き、容器取付口２から容器Ｂを取外す。取外した容器Ｂからは、簡単に水分Ｗを除去することができる。また、取外したアタッチメント本体１については、簡単に水洗い等が可能である。
【００３６】  以上、図示した形態の外に、区画壁４に上昇する混合気体ＡＷの障害物を設けて、さらなる水分Ｗの分離を指向する構成とすることも可能である。
【００３７】  さらに、アタッチメント本体１の内部で分岐筒１２を手で掴みやすくした取手構造とすることも可能である。
【００３８】  さらに、アタッチメント本体１を透明材料で形成して、混合気体ＡＷの吸引状態や内部の汚損状態を視認できるようにすることもできる。
【産業上の利用可能性】
【００３９】  本考案に係る掃除機用アタッチメントは、容器Ｂとして大容量のペットボトルを使用する大型に構成することも可能である。
【符号の説明】
【００４０】１            アタッチメント本体１
２            容器取付口
３            気液分離構造
３１          分離管
４            区画壁
ＡＷ          混合気体
Ａ            空気
Ｗ            水分
Ｂ            容器
Ｆ            床面
【図１】
0003193670.tif 000003
【図２】
0003193670.tif 000004
【図３】
0003193670.tif 000005
【図４】
0003193670.tif 000006
【図５】
0003193670.tif 000007